(57)【要約】【課題】先端工具を集塵カバーからわずかに露出させた状態でも、先端工具を集塵カバーから大きく露出させた状態でも、作業を行うことが可能な技術を提供する。【解決手段】電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定された固定カバー部と、前記固定カバー部に対して移動可能な可動カバー部を備えていてもよい。前記可動カバー部は、前記固定カバー部に対して、前記先端工具が前記集塵カバーから部分的に露出する第１位置と、前記先端工具が前記集塵カバーから部分的に露出する第２位置で固定可能であってもよい。前記第２位置は前記第１位置とは異なってもよい。【選択図】図１
2019171544.tif 000002
【特許請求の範囲】
【請求項１】
モータと、
前記モータに接続される動力伝達機構と、
前記モータおよび前記動力伝達機構を収容するハウジングと、
前記動力伝達機構に接続されており、先端工具を保持する先端工具保持部と、
前記先端工具の周囲を覆う集塵カバーを備えており、
前記集塵カバーが、前記ハウジングに対して固定された固定カバー部と、前記固定カバー部に対して移動可能な可動カバー部を備えており、
前記可動カバー部が、前記固定カバー部に対して、前記先端工具が前記集塵カバーから部分的に露出する第１位置と、前記先端工具が前記集塵カバーから部分的に露出する第２位置で固定可能であって
前記第２位置は前記第１位置とは異なる、電動工具。
【請求項２】
前記先端工具保持部が、前記ハウジングに対して回転軸周りに回転可能であって、
前記可動カバー部が、前記固定カバー部に対して、前記回転軸に略直交する方向に沿った回動軸周りに回動可動である、請求項１の電動工具。
【請求項３】
前記可動カバー部および前記固定カバー部の一方が、カム突起を備えており、
前記可動カバー部および前記固定カバー部の他方が、前記カム突起に対応するカム溝を備えており、
前記カム溝が、前記カム突起が係合可能な第１凹部と、前記カム突起が係合可能な第２凹部を備えており、
前記第１凹部が、前記第１位置に対応して配置されており、
前記第２凹部が、前記第２位置に対応して配置されている、請求項２の電動工具。
【請求項４】
前記可動カバー部および前記固定カバー部の一方が、係合部を備えており、
前記可動カバー部および前記固定カバー部の他方が、前記係合部と係合可能な第１被係合部と、前記係合部と係合可能な第２被係合部を備えており、
前記第１被係合部と、前記第２被係合部が、前記回動軸を中心とする円周上に配置されており、
前記第１被係合部が、前記第１位置に対応して配置されており、
前記第２被係合部が、前記第２位置に対応して配置されている、請求項２の電動工具。
【請求項５】
前記可動カバー部が、前記固定カバー部に対して、前記先端工具が前記集塵カバーから露出しない第３位置まで移動可能である、請求項１から４の何れか一項の電動工具。
【請求項６】
モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられる集塵カバーであって、
前記ハウジングに対して固定された固定カバー部と、前記固定カバー部に対して移動可能な可動カバー部を備えており、
前記可動カバー部が、前記固定カバー部に対して、前記先端工具が前記集塵カバーから部分的に露出する第１位置と、前記先端工具が前記集塵カバーから部分的に露出する第２位置で固定可能であって
前記第２位置は前記第１位置とは異なる、集塵カバー。
【請求項７】
前記先端工具保持部が、前記ハウジングに対して回転軸周りに回転可能であって、
前記可動カバー部が、前記固定カバー部に対して、前記回転軸に略直交する方向に沿った回動軸周りに回動可動である、請求項６の集塵カバー。
【請求項８】
前記可動カバー部および前記固定カバー部の一方が、カム突起を備えており、
前記可動カバー部および前記固定カバー部の他方が、前記カム突起に対応するカム溝を備えており、
前記カム溝が、前記カム突起が係合可能な第１凹部と、前記カム突起が係合可能な第２凹部を備えており、
前記第１凹部が、前記第１位置に対応して配置されており、
前記第２凹部が、前記第２位置に対応して配置されている、請求項７の集塵カバー。
【請求項９】
前記可動カバー部および前記固定カバー部の一方が、係合部を備えており、
前記可動カバー部および前記固定カバー部の他方が、前記係合部と係合可能な第１被係合部と、前記係合部と係合可能な第２被係合部を備えており、
前記第１被係合部と、前記第２被係合部が、前記回動軸を中心とする円周上に配置されており、
前記第１被係合部が、前記第１位置に対応して配置されており、
前記第２被係合部が、前記第２位置に対応して配置されている、請求項７の集塵カバー。
【請求項１０】
前記可動カバー部が、前記固定カバー部に対して、前記先端工具が前記集塵カバーから露出しない第３位置まで移動可能である、請求項６から９の何れか一項の集塵カバー。
【発明の詳細な説明】
【技術分野】
【０００１】
本明細書で開示する技術は、電動工具および集塵カバーに関する。
【背景技術】
【０００２】
特許文献１には、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備える電動工具が開示されている。前記集塵カバーは、前記ハウジングに対して固定された固定カバー部と、前記固定カバー部に対して移動可能な可動カバー部を備えている。
【先行技術文献】
【特許文献】
【０００３】
【特許文献１】実開昭６１−９２４７号公報
【発明の概要】
【発明が解決しようとする課題】
【０００４】
上記のような電動工具では、先端工具を集塵カバーからわずかに露出させた状態で作業を行いたい場合もあれば、先端工具を集塵カバーから大きく露出させた状態で作業を行いたい場合もある。先端工具を集塵カバーからわずかに露出させた状態で作業を行うことができれば、集塵性をそれほど損なうことなく、露出させた先端工具を用いて作業を行うことができる。先端工具を集塵カバーから大きく露出させた状態で作業を行うことができれば、先端工具の視認性や、露出させた先端工具による作業性をより向上することができる。本明細書では、先端工具を集塵カバーからわずかに露出させた状態でも、先端工具を集塵カバーから大きく露出させた状態でも、作業を行うことが可能な技術を提供する。
【課題を解決するための手段】
【０００５】
本明細書は電動工具を開示する。電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定された固定カバー部と、前記固定カバー部に対して移動可能な可動カバー部を備えていてもよい。前記可動カバー部は、前記固定カバー部に対して、前記先端工具が前記集塵カバーから部分的に露出する第１位置と、前記先端工具が前記集塵カバーから部分的に露出する第２位置で固定可能であってもよい。前記第２位置は前記第１位置とは異なってもよい。
【０００６】
本明細書は、集塵カバーも開示する。集塵カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられてもよい。前記集塵カバーは、前記ハウジングに対して固定された固定カバー部と、前記固定カバー部に対して移動可能な可動カバー部を備えていてもよい。前記可動カバー部は、前記固定カバー部に対して、前記先端工具が前記集塵カバーから部分的に露出する第１位置と、前記先端工具が前記集塵カバーから部分的に露出する第２位置で固定可能であってもよい。前記第２位置は前記第１位置とは異なってもよい。
【０００７】
上記の電動工具や、上記の集塵カバーによれば、先端工具を集塵カバーから部分的に露出させた状態で、可動カバー部を固定カバー部に対して固定することができる。さらに、上記の電動工具や、上記の集塵カバーによれば、可動カバー部を固定カバー部に対して、第１位置で固定することもできるし、第１位置とは異なる第２位置で固定することもできる。上記の電動工具や、上記の集塵カバーによれば、先端工具を集塵カバーからわずかに露出させた状態で作業を行うこともできるし、先端工具を集塵カバーから大きく露出させた状態で作業を行うこともできる。
【図面の簡単な説明】
【０００８】
【図１】実施例１の集塵カバー２が取り付けられたグラインダ４を前方右方上方から見た斜視図である。
【図２】実施例１の集塵カバー２が取り付けられたグラインダ４を後方左方下方から見た斜視図である。
【図３】実施例１の集塵カバー２が取り付けられたグラインダ４の縦断面図である。
【図４】実施例１の集塵カバー２の斜視図である。
【図５】実施例１の集塵カバー２が取り付けられたグラインダ４の、可動カバー部６４が開いた状態を、前方右方上方から見た斜視図である。
【図６】実施例１の集塵カバー２のガイド部材７８の斜視図である。
【図７】実施例１の集塵カバー２において、可動カバー部６４が閉じた状態における、カム部７８ｄ、７８ｅとカム溝６４ａ、６４ｂを示す側面図である。
【図８】実施例１の集塵カバー２において、可動カバー部６４が開いた状態における、カム部７８ｄ、７８ｅとカム溝６４ａ、６４ｂを示す側面図である。
【図９】実施例２の集塵カバー１０２が取り付けられたグラインダ４を前方左方上方から見た斜視図である。
【図１０】実施例２の集塵カバー１０２が取り付けられたグラインダ４の、可動カバー部６４が開いた状態を、前方左方上方から見た斜視図である。
【図１１】実施例２の集塵カバー１０２のカバー開閉機構１０４の斜視図である。
【図１２】実施例２の集塵カバー１０２のカバー開閉機構１０４の分解斜視図である。
【図１３】実施例２の集塵カバー１０２において、可動カバー部６４が閉じた状態における、係合シャフト部１０６ｂと係合凹部１０８ｂ、１１０ｂを示す側面図である。
【図１４】実施例２の集塵カバー１０２において、可動カバー部６４が開いた状態における、係合シャフト部１０６ｂと係合凹部１０８ｂ、１１０ｂを示す側面図である。
【発明を実施するための形態】
【０００９】
１つまたはそれ以上の実施形態において、電動工具は、モータと、前記モータに接続される動力伝達機構と、前記モータおよび前記動力伝達機構を収容するハウジングと、前記動力伝達機構に接続されており、先端工具を保持する先端工具保持部と、前記先端工具の周囲を覆う集塵カバーを備えていてもよい。前記集塵カバーは、前記ハウジングに対して固定された固定カバー部と、前記固定カバー部に対して移動可能な可動カバー部を備えていてもよい。前記可動カバー部は、前記固定カバー部に対して、前記先端工具が前記集塵カバーから部分的に露出する第１位置と、前記先端工具が前記集塵カバーから部分的に露出する第２位置で固定可能であってもよい。前記第２位置は前記第１位置とは異なってもよい。
【００１０】
１つまたはそれ以上の実施形態において、集塵カバーは、モータと、前記モータに接続される動力伝達機構と、前記モータおよび前記動力伝達機構を収容するハウジングと、前記動力伝達機構に接続されており、先端工具を保持する先端工具保持部を備える電動工具に、前記先端工具の周囲を覆うように取り付けられてもよい。前記集塵カバーは、前記ハウジングに対して固定された固定カバー部と、前記固定カバー部に対して移動可能な可動カバー部を備えていてもよい。前記可動カバー部は、前記固定カバー部に対して、前記先端工具が前記集塵カバーから部分的に露出する第１位置と、前記先端工具が前記集塵カバーから部分的に露出する第２位置で固定可能であってもよい。前記第２位置は前記第１位置とは異なってもよい。
【００１１】
上記の電動工具や、上記の集塵カバーによれば、先端工具を集塵カバーから部分的に露出させた状態で、可動カバー部を固定カバー部に対して固定することができる。さらに、上記の電動工具や、上記の集塵カバーによれば、可動カバー部を固定カバー部に対して、第１位置で固定することもできるし、第１位置とは異なる第２位置で固定することもできる。上記の電動工具や、上記の集塵カバーによれば、先端工具を集塵カバーからわずかに露出させた状態で作業を行うこともできるし、先端工具を集塵カバーから大きく露出させた状態で作業を行うこともできる。
【００１２】
１つまたはそれ以上の実施形態において、前記先端工具保持部は、前記ハウジングに対して回転軸周りに回転可能であってもよい。前記可動カバー部は、前記固定カバー部に対して、前記回転軸に略直交する方向に沿った回動軸周りに回動可動であってもよい。
【００１３】
上記の構成によれば、可動カバー部を固定カバー部に対して回動させた時に、可動カバー部が先端工具やワークから遠ざかる方向に移動するので、可動カバー部が壁面等の障害物と干渉することを抑制することができる。
【００１４】
１つまたはそれ以上の実施形態において、前記可動カバー部および前記固定カバー部の一方は、カム突起を備えていてもよい。前記可動カバー部および前記固定カバー部の他方は、前記カム突起に対応するカム溝を備えていてもよい。前記カム溝は、前記カム突起が係合可能な第１凹部と、前記カム突起が係合可能な第２凹部を備えていてもよい。前記第１凹部は、前記第１位置に対応して配置されていてもよい。前記第２凹部は、前記第２位置に対応して配置されていてもよい。
【００１５】
上記の構成によれば、可動カバー部を固定カバー部に対して、第１位置でも固定可能であり、第２位置でも固定可能である構造を、簡素な構成により実現することができる。
【００１６】
１つまたはそれ以上の実施形態において、前記可動カバー部および前記固定カバー部の一方は、係合部を備えていてもよい。前記可動カバー部および前記固定カバー部の他方は、前記係合部と係合可能な第１被係合部と、前記係合部と係合可能な第２被係合部を備えていてもよい。前記第１被係合部と、前記第２被係合部は、前記回動軸を中心とする円周上に配置されていてもよい。前記第１被係合部は、前記第１位置に対応して配置されていてもよい。前記第２被係合部は、前記第２位置に対応して配置されていてもよい。
【００１７】
上記の構成によれば、可動カバー部を固定カバー部に対して、第１位置でも固定可能であり、第２位置でも固定可能である構造を、簡素な構成により実現することができる。
【００１８】
１つまたはそれ以上の実施形態において、前記可動カバー部は、前記固定カバー部に対して、前記先端工具が前記集塵カバーから露出しない第３位置まで移動可能であってもよい。
【００１９】
上記の構成によれば、先端工具を集塵カバーから露出させない状態でも、作業を行うことができる。
【００２０】
（実施例１）
図１に示すように、本実施例の集塵カバー２は、グラインダ４に取り付けて使用される。図２に示すように、グラインダ４は、ダイヤモンドカップ６の回転によって、コンクリート、ブロック、レンガ、石材等のワークの研削を行うことができる。なお、以下の説明では、グラインダ４の長手方向を前後方向といい、ダイヤモンドカップ６の回転軸方向を上下方向といい、前後方向と上下方向に直交する方向を左右方向という。
【００２１】
図３に示すように、グラインダ４は、本体ハウジング８と、ギヤハウジング１０と、ベアリングボックス１２を備えている。
【００２２】
本体ハウジング８の前方内部には、モータ１４が収容されている。モータ１４は、前後方向に伸びる出力軸１６を有している。出力軸１６は、ベアリング１８，２０を介して、本体ハウジング８に回転可能に支持されている。本体ハウジング８の後方内部には、電源回路２２が収容されている。電源回路２２には、外部の電源から電源コード２４を介して電力が供給される。電源回路２２は、ユーザがスイッチ２６（図２等参照）をオンに操作すると、モータ１４に電力を供給し、ユーザがスイッチ２６をオフに操作すると、モータ１４への電力の供給を停止する。モータ１４は、電源回路２２から供給される電力によって、出力軸１６を回転させる。
【００２３】
ギヤハウジング１０は、本体ハウジング８の前方に取り付けられている。ギヤハウジング１０の内部には、互いに噛み合うように配置された第１ベベルギヤ２８と第２ベベルギヤ３０が収容されている。第１ベベルギヤ２８は、出力軸１６の前方端部に固定されている。第２ベベルギヤ３０は、上下方向に伸びるスピンドル３２の上方端部に固定されている。以下では、第１ベベルギヤ２８と第２ベベルギヤ３０を総称して、単にベベルギヤ３４ともいう。ベベルギヤ３４は、モータ１４の回転を減速してスピンドル３２に伝達する減速機構であり、動力伝達機構ということができる。ギヤハウジング１０は、ベアリング３６を介して、スピンドル３２の上方端部を保持している。図１に示すように、ギヤハウジング１０の上面には、シャフトロック３８が設けられている。ユーザがシャフトロック３８を下方に押し込むと、第２ベベルギヤ３０の回転が禁止されて、スピンドル３２の回転が禁止される。
【００２４】
ベアリングボックス１２は、ギヤハウジング１０の下方に取り付けられている。ベアリングボックス１２は、ベアリング４０，４２を介して、スピンドル３２を保持している。スピンドル３２は、上下方向に沿った回転軸に関して、ベアリングボックス１２に対して回転可能である。スピンドル３２の下方端部には、インナフランジ４４とアウタフランジ４６を介して、ダイヤモンドカップ６を取り付け可能である。インナフランジ４４は、スピンドル３２に嵌合されている。ダイヤモンドカップ６は、インナフランジ４４の下方からスピンドル３２に取り付けられて、インナフランジ４４に嵌合されている。アウタフランジ４６は、スピンドル３２の下方端部からスピンドル３２に螺着されて、インナフランジ４４との間でダイヤモンドカップ６を挟持する。グラインダ４において、モータ１４が回転すると、スピンドル３２とともにダイヤモンドカップ６が回転軸周りに回転することで、ワークの研削を行うことができる。スピンドル３２は、先端工具であるダイヤモンドカップ６を保持する先端工具保持部ということもできる。なお、以下の説明では、本体ハウジング８、ギヤハウジング１０およびベアリングボックス１２を総称して、単にハウジング４８ともいう。
【００２５】
集塵カバー２は、ベアリングボックス１２に形成された略円筒形状のカバー取り付け部５０に取り付けられている。集塵カバー２は、グラインダ４に取り付けられた時に、ダイヤモンドカップ６の周囲を覆う形状に形成されている。集塵カバー２は、ダイヤモンドカップ６がワークを研削する際に、周囲に切削粉が飛び散ることを防止するとともに、切削粉を集塵機（図示せず）によって収集するために使用される。
【００２６】
図４に示すように、集塵カバー２は、ベース５２と、カバー本体５４と、ノズル５６とを備えている。
【００２７】
ベース５２は、バンド５８と、ベースプレート６０を備えている。バンド５８は、帯状の平板を円筒形状に湾曲させた湾曲部５８ａと、湾曲部５８ａの両端から外側に向けて伸びる一対の平板部５８ｂと、一対の平板部５８ｂの間隔を調整する締結具５８ｃを備えている。ベースプレート６０は、略円形状の開口部６０ａを有する平板部６０ｂと、開口部６０ａの縁に沿って上方に屈曲する半円筒形状の半円筒部６０ｃを備えている。バンド５８とベースプレート６０は、半円筒部６０ｃの外周面と湾曲部５８ａの内周面を溶接することによって、互いに固定されている。集塵カバー２は、締結具５８ｃを緩めてバンド５８を拡径させた状態で、バンド５８をベアリングボックス１２のカバー取り付け部５０の外周面に取り付け、その後に締結具５８ｃを締めてバンド５８を縮径させることで、ベアリングボックス１２に対して固定される。
【００２８】
カバー本体５４は、固定カバー部６２と、可動カバー部６４と、カバー開閉機構６６を備えている。固定カバー部６２は、ベース５２の下方に配置されている。固定カバー部６２は、締結具６８を介して、ベース５２のベースプレート６０に固定されている。可動カバー部６４は、固定カバー部６２の前方に配置されている。可動カバー部６４は、カバー開閉機構６６を介して、固定カバー部６２に連結されている。固定カバー部６２と可動カバー部６４は、互いに組み合わされた時に皿型の形状となるように形成されている。固定カバー部６２の外縁下方と、可動カバー部６４の外縁下方には、集塵ブラシ７０が設けられている。グラインダ４によってワークを研削する際には、固定カバー部６２と、可動カバー部６４と、集塵ブラシ７０によって、ダイヤモンドカップ６の周囲が覆われる。なお、固定カバー部６２には、ノズル５６が一体的に形成されている。ノズル５６の内部の空間は、固定カバー部６２の内側の空間と連通している。ノズル５６には、集塵機（図示せず）から伸びるホース（図示せず）を取り付けることができる。
【００２９】
カバー開閉機構６６は、支持部材７２と、回動シャフト７４と、捩りばね７６と、ガイド部材７８を備えている。支持部材７２は、固定カバー部６２の前方端部の上面に締結具８０を介して固定されている。回動シャフト７４は、支持部材７２と可動カバー部６４を、互いに回動可能に連結している。回動シャフト７４は、長手方向が左右方向に沿うように配置されている。すなわち、可動カバー部６４は固定カバー部６２に対して、回動シャフト７４の長手方向（すなわち左右方向）に伸びる回動軸周りに回動可能である。捩りばね７６は、可動カバー部６４が閉じる方向に、可動カバー部６４を支持部材７２に対して付勢している。
【００３０】
可動カバー部６４が開く方向に、可動カバー部６４を固定カバー部６２に対して回動させると、図５に示すように、ダイヤモンドカップ６が集塵カバー２から部分的に露出する。例えばグラインダ４によって壁面の近傍の床面を研削する際に、ダイヤモンドカップ６を集塵カバー２から部分的に露出させることで、集塵カバー２が壁面と干渉することなく、ダイヤモンドカップ６による床面の研削を行うことができる。また、ダイヤモンドカップ６を集塵カバー２から部分的に露出させることで、ダイヤモンドカップ６とワークの状態を視認しながら研削作業を行うことができる。
【００３１】
図６に示すように、ガイド部材７８は、円柱形状の金属を屈曲させて形成されている。ガイド部材７８は、支持部７８ａと、支持部７８ａの両端から屈曲するアーム部７８ｂ、７８ｃと、アーム部７８ｂの先端からアーム部７８ｃ側に向けて屈曲するカム部７８ｄと、アーム部７８ｃの先端からアーム部７８ｂ側に向けて屈曲するカム部７８ｅを備えている。ガイド部材７８では、支持部７８ａの中央で支持部７８ａに直交する平面に関して、アーム部７８ｂとアーム部７８ｃは対称な形状を有しており、カム部７８ｄとカム部７８ｅは対称な形状を有している。
【００３２】
図４に示すように、ガイド部材７８は、支持部７８ａの長手方向を回動軸として回動可能に、支持部材７２に支持されている。また、ガイド部材７８は、支持部７８ａの長手方向が、可動カバー部６４の回動軸の方向（すなわち左右方向）に略平行となるように配置されている。ガイド部材７８のカム部７８ｄは、可動カバー部６４に形成されたカム溝６４ａに入り込んでいる。ガイド部材７８のカム部７８ｅは、可動カバー部６４に形成されたカム溝６４ｂに入り込んでいる（図１参照）。可動カバー部６４のカム溝６４ａとカム溝６４ｂは、可動カバー部６４の中央を通る前後方向および上下方向を含む平面に関して、対称な形状を有している。
【００３３】
図７、図８に示すように、ガイド部材７８のカム部７８ｄ，７８ｅは、可動カバー部６４の固定カバー部６２に対する回動動作に応じて、可動カバー部６４のカム溝６４ａ，６４ｂの内部を移動する。可動カバー部６４のカム溝６４ａ，６４ｂの側壁には、捩りばね７６の付勢力に抗してカム部７８ｄ，７８ｅと係合可能な第１凹部６４ｃ，６４ｄと、第１凹部６４ｃ，６４ｄとは異なる位置に形成されており、捩りばね７６の付勢力に抗してカム部７８ｄ，７８ｅと係合可能な第２凹部６４ｅ，６４ｆが形成されている。カム部７８ｄ，７８ｅが第１凹部６４ｃ，６４ｄに係合したときの、可動カバー部６４の固定カバー部６２に対する開き角度は、０°よりも大きく９０°よりも小さい。また、カム部７８ｄ，７８ｅが第２凹部６４ｅ，６４ｆに係合したときの、可動カバー部６４の固定カバー部６２に対する開き角度は、カム部７８ｄ，７８ｅが第１凹部６４ｃ，６４ｄに係合したときの、可動カバー部６４の固定カバー部６２に対する開き角度よりも大きく、かつ０°よりも大きく９０°よりも小さい。上記のような構成とすることによって、可動カバー部６４を固定カバー部６２に対して開いた状態で保持する際の可動カバー部６４の開き角度を、段階的に選択することができる。なお、カム部７８ｄ，７８ｅが第１凹部６４ｃ，６４ｄ（または第２凹部６４ｅ，６４ｆ）に係合している状態であっても、ユーザが可動カバー部６４を掴んで固定カバー部６２に対して回動させることで、カム部７８ｄ，７８ｅと第１凹部６４ｃ，６４ｄ（または第２凹部６４ｅ，６４ｆ）の間の係合を解除することができる。
【００３４】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の周囲を覆う集塵カバー２を備えている。集塵カバー２は、ハウジング４８に対して固定された固定カバー部６２と、固定カバー部６２に対して移動可能な可動カバー部６４を備えている。可動カバー部６４は、固定カバー部６２に対して、ダイヤモンドカップ６が集塵カバー２から部分的に露出する第１位置（カム部７８ｄ，７８ｅが第１凹部６４ｃ，６４ｄに係合したときの可動カバー部６４の固定カバー部６２に対する位置）と、ダイヤモンドカップ６が集塵カバー２から部分的に露出する第２位置（カム部７８ｄ，７８ｅが第２凹部６４ｅ，６４ｆに係合したときの可動カバー部６４の固定カバー部６２に対する位置）で固定可能である。第２位置は第１位置とは異なる。
【００３５】
１つまたはそれ以上の実施形態において、集塵カバー２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４に、ダイヤモンドカップ６の周囲を覆うように取り付けられる。集塵カバー２は、ハウジング４８に対して固定された固定カバー部６２と、固定カバー部６２に対して移動可能な可動カバー部６４を備えている。可動カバー部６４は、固定カバー部６２に対して、ダイヤモンドカップ６が集塵カバー２から部分的に露出する第１位置（カム部７８ｄ，７８ｅが第１凹部６４ｃ，６４ｄに係合したときの可動カバー部６４の固定カバー部６２に対する位置）と、ダイヤモンドカップ６が集塵カバー２から部分的に露出する第２位置（カム部７８ｄ，７８ｅが第２凹部６４ｅ，６４ｆに係合したときの可動カバー部６４の固定カバー部６２に対する位置）で固定可能である。第２位置は第１位置とは異なる。
【００３６】
上記のグラインダ４や、上記の集塵カバー２によれば、ダイヤモンドカップ６を集塵カバー２から部分的に露出させた状態で、可動カバー部６４を固定カバー部６２に対して固定することができる。さらに、上記のグラインダ４や、上記の集塵カバー２によれば、可動カバー部６４を固定カバー部６２に対して、第１位置で固定することもできるし、第１位置とは異なる第２位置で固定することもできる。上記のグラインダ４や、上記の集塵カバー２によれば、ダイヤモンドカップ６を集塵カバー２からわずかに露出させた状態で作業を行うこともできるし、ダイヤモンドカップ６を集塵カバー２から大きく露出させた状態で作業を行うこともできる。
【００３７】
１つまたはそれ以上の実施形態において、スピンドル３２は、ハウジング４８に対して回転軸周りに回転可能である。可動カバー部６４は、固定カバー部６２に対して、スピンドル３２の回転軸に略直交する方向（左右方向）に沿った回動軸周りに回動可動である。
【００３８】
上記の構成によれば、可動カバー部６４を固定カバー部６２に対して回動させた時に、可動カバー部６４がダイヤモンドカップ６やワークから遠ざかる方向に移動するので、可動カバー部６４が壁面等の障害物と干渉することを抑制することができる。
【００３９】
１つまたはそれ以上の実施形態において、固定カバー部６２は、カム部７８ｄ，７８ｅ（カム突起の例）を備えている。可動カバー部６４は、カム部７８ｄ，７８ｅに対応するカム溝６４ａ，６４ｂを備えている。カム溝６４ａ，６４ｂは、カム部７８ｄ，７８ｅが係合可能な第１凹部６４ｃ，６４ｄと、カム部７８ｄ，７８ｅが係合可能な第２凹部６４ｅ，６４ｆを備えている。第１凹部６４ｃ，６４ｄは、第１位置に対応して配置されている。第２凹部６４ｅ，６４ｆは、第２位置に対応して配置されている。
【００４０】
上記の構成によれば、可動カバー部６４を固定カバー部６２に対して、第１位置でも固定可能であり、第２位置でも固定可能である構造を、簡素な構成により実現することができる。
【００４１】
１つまたはそれ以上の実施形態において、可動カバー部６４は、固定カバー部６２に対して、ダイヤモンドカップ６が集塵カバー２から露出しない第３位置（可動カバー部６４を閉じた状態としたときの可動カバー部６４の固定カバー部６２に対する位置）まで移動可能である。
【００４２】
上記の構成によれば、ダイヤモンドカップ６を集塵カバー２から露出させない状態でも、作業を行うことができる。
【００４３】
なお、上記とは異なり、可動カバー部６４の回動軸は、スピンドル３２の回転軸と略直交する方向以外の方向に沿ったものであってもよい。また、上記とは異なり、可動カバー部６４がカム突起を備えていてもよく、固定カバー部６２がカム溝を備えていてもよい。
【００４４】
（実施例２）
本実施例の集塵カバー１０２は、実施例１の集塵カバー２と同様に、グラインダ４に取り付けて使用される。本実施例の集塵カバー１０２は、実施例１の集塵カバー２とほぼ同様の構成を備えている。以下では本実施例の集塵カバー１０２について、実施例１の集塵カバー２と相違する点のみについて詳細に説明する。
【００４５】
図９に示すように、本実施例の集塵カバー１０２は、実施例１のカバー開閉機構６６の代わりに、カバー開閉機構１０４を備えている。また、本実施例の集塵カバー１０２では、可動カバー部６４に、カム溝６４ａ，６４ｂは形成されていない。図１０に示すように、本実施例の集塵カバー１０２でも、可動カバー部６４が開く方向に、可動カバー部６４を固定カバー部６２に対して回動させることで、ダイヤモンドカップ６が集塵カバー１０２から部分的に露出する。
【００４６】
図１１に示すように、カバー開閉機構１０４は、可動カバー部６４に一体的に形成された可動側開閉部材１０６と、固定カバー部６２に一体的に形成された固定側開閉部材１０８、１１０を備えている。可動側開閉部材１０６は、可動カバー部６４の後方端部の上面に配置されている。固定側開閉部材１０８、１１０は、固定カバー部６２の前方端部の上面に配置されている。
【００４７】
図１２に示すように、可動側開閉部材１０６は、可動カバー部６４の回動軸の方向（すなわち左右方向）に長手方向を有する略円柱形状の回動シャフト部１０６ａと、可動カバー部６４の回動軸の方向（すなわち左右方向）に長手方向を有する略円柱形状の係合シャフト部１０６ｂと、回動シャフト部１０６ａおよび係合シャフト部１０６ｂと一体的に形成された保持部１０６ｃを備えている。回動シャフト部１０６ａと係合シャフト部１０６ｂは互いにオフセットしており、回動シャフト部１０６ａの長手方向と係合シャフト部１０６ｂの長手方向は略平行である。回動シャフト部１０６ａの左方向の端部は、保持部１０６ｃの左方向の端部よりも左方向に突出しており、回動シャフト部１０６ａの右方向の端部は、保持部１０６ｃの右方向の端部よりも右方向に突出している。係合シャフト部１０６ｂの左方向の端部は、保持部１０６ｃの左方向の端部よりも左方向に突出しており、係合シャフト部１０６ｂの右方向の端部は、保持部１０６ｃの右方向の端部よりも右方向に突出している。
【００４８】
固定側開閉部材１０８は、略円筒形状に形成されており、内側に可動カバー部６４の回動軸の方向（すなわち左右方向）に長手方向を有する貫通孔１０８ａが形成されている。また、固定側開閉部材１０８の外周面には、所定の角度間隔で、複数の係合凹部１０８ｂが形成されている。複数の係合凹部１０８ｂは、それぞれ、可動カバー部６４の回動軸の方向（すなわち左右方向）に長手方向を有しており、可動側開閉部材１０６の係合シャフト部１０６ｂと係合可能な形状を有している。固定側開閉部材１１０は、略円筒形状に形成されており、内側に可動カバー部６４の回動軸の方向（すなわち左右方向）に長手方向を有する貫通孔１１０ａが形成されている。また、固定側開閉部材１１０の外周面には、所定の角度間隔で、複数の係合凹部１１０ｂが形成されている。複数の係合凹部１１０ｂは、それぞれ、可動カバー部６４の回動軸の方向（すなわち左右方向）に長手方向を有しており、可動側開閉部材１０６の係合シャフト部１０６ｂと係合可能な形状を有している。固定側開閉部材１０８と固定側開閉部材１１０は、可動カバー部６４の中央を通る前後方向および上下方向を含む平面に関して、対称な形状を有している。
【００４９】
図１１に示すように、可動カバー部６４を固定カバー部６２に取り付けた状態では、可動側開閉部材１０６の回動シャフト部１０６ａの左方向の端部が、固定側開閉部材１０８の貫通孔１０８ａに挿入され、可動側開閉部材１０６の回動シャフト部１０６ａの右方向の端部が、固定側開閉部材１１０の貫通孔１１０ａに挿入される。これによって、可動カバー部６４は固定カバー部６２に、左右方向を回動軸として回動可能に保持される。また、可動カバー部６４を固定カバー部６２に取り付けた状態では、可動側開閉部材１０６の係合シャフト部１０６ｂの左方向の端部が、固定側開閉部材１０８の複数の係合凹部１０８ｂのうちの一つに係合し、可動側開閉部材１０６の係合シャフト部１０６ｂの右方向の端部が、固定側開閉部材１１０の複数の係合凹部１１０ｂのうちの一つに係合する。
【００５０】
図１３、図１４に示すように、ユーザが可動カバー部６４を掴んで固定カバー部６２に対して回動させると、可動側開閉部材１０６の係合シャフト部１０６ｂは、固定側開閉部材１０８，１１０の複数の係合凹部１０８ｂ，１１０ｂのうち、可動カバー部６４の開き角度に応じた位置にあるものと係合する。その状態で、ユーザが可動カバー部６４から手を離しても、係合シャフト部１０６ｂが可動カバー部６４の開き角度に応じた係合凹部１０８ｂ，１１０ｂと係合しているので、可動カバー部６４はその開き角度で開いた状態に維持される。このような構成とすることによって、可動カバー部６４を固定カバー部６２に対して開いた状態で保持する際の可動カバー部６４の開き角度を、段階的に選択することができる。
【００５１】
以上のように、１つまたはそれ以上の実施形態において、グラインダ４（電動工具の例）は、モータ１４と、モータ１４に接続されるベベルギヤ３４（動力伝達機構の例）と、モータ１４およびベベルギヤ３４を収容するハウジング４８と、ベベルギヤ３４に接続されており、ダイヤモンドカップ６（先端工具の例）を保持するスピンドル３２（先端工具保持部の例）と、ダイヤモンドカップ６の周囲を覆う集塵カバー１０２を備えている。集塵カバー１０２は、ハウジング４８に対して固定された固定カバー部６２と、固定カバー部６２に対して移動可能な可動カバー部６４を備えている。可動カバー部６４は、固定カバー部６２に対して、ダイヤモンドカップ６が集塵カバー１０２から部分的に露出する第１位置（係合シャフト部１０６ｂが複数の係合凹部１０８ｂ（１１０ｂ）のうちの１つと係合したときの可動カバー部６４の固定カバー部６２に対する位置）と、ダイヤモンドカップ６が集塵カバー１０２から部分的に露出する第２位置（係合シャフト部１０６ｂが複数の係合凹部１０８ｂ（１１０ｂ）のうちの別の１つと係合したときの可動カバー部６４の固定カバー部６２に対する位置）で固定可能である。第２位置は第１位置とは異なる。
【００５２】
１つまたはそれ以上の実施形態において、集塵カバー１０２は、モータ１４と、モータ１４に接続されるベベルギヤ３４と、モータ１４およびベベルギヤ３４を収容するハウジング４８と、ベベルギヤ３４に接続されており、ダイヤモンドカップ６を保持するスピンドル３２を備えるグラインダ４に、ダイヤモンドカップ６の周囲を覆うように取り付けられる。集塵カバー１０２は、ハウジング４８に対して固定された固定カバー部６２と、固定カバー部６２に対して移動可能な可動カバー部６４を備えている。可動カバー部６４は、固定カバー部６２に対して、ダイヤモンドカップ６が集塵カバー２から部分的に露出する第１位置（係合シャフト部１０６ｂが複数の係合凹部１０８ｂ（１１０ｂ）のうちの１つと係合したときの可動カバー部６４の固定カバー部６２に対する位置）と、ダイヤモンドカップ６が集塵カバー２から部分的に露出する第２位置（係合シャフト部１０６ｂが複数の係合凹部１０８ｂ（１１０ｂ）のうちの別の１つと係合したときの可動カバー部６４の固定カバー部６２に対する位置）で固定可能である。第２位置は第１位置とは異なる。
【００５３】
上記のグラインダ４や、上記の集塵カバー１０２によれば、ダイヤモンドカップ６を集塵カバー１０２から部分的に露出させた状態で、可動カバー部６４を固定カバー部６２に対して固定することができる。さらに、上記のグラインダ４や、上記の集塵カバー１０２によれば、可動カバー部６４を固定カバー部６２に対して、第１位置で固定することもできるし、第１位置とは異なる第２位置で固定することもできる。上記のグラインダ４や、上記の集塵カバー１０２によれば、ダイヤモンドカップ６を集塵カバー１０２からわずかに露出させた状態で作業を行うこともできるし、ダイヤモンドカップ６を集塵カバー１０２から大きく露出させた状態で作業を行うこともできる。
【００５４】
１つまたはそれ以上の実施形態において、スピンドル３２は、ハウジング４８に対して回転軸周りに回転可能である。可動カバー部６４は、固定カバー部６２に対して、スピンドル３２の回転軸に略直交する方向（左右方向）に沿った回動軸周りに回動可動である。
【００５５】
上記の構成によれば、可動カバー部６４を固定カバー部６２に対して回動させた時に、可動カバー部６４がダイヤモンドカップ６やワークから遠ざかる方向に移動するので、可動カバー部６４が壁面等の障害物と干渉することを抑制することができる。
【００５６】
１つまたはそれ以上の実施形態において、可動カバー部６４は、係合シャフト部１０６ｂ（係合部の例）を備えている。固定カバー部６２は、係合シャフト部１０６ｂと係合可能な第１被係合部（複数の係合凹部１０８ｂ（１１０ｂ）のうちの１つ）と、係合シャフト部１０６ｂと係合可能な第２被係合部（複数の係合凹部１０８ｂ（１１０ｂ）のうちの別の１つ）を備えている。第１被係合部と、第２被係合部を含む、複数の係合凹部１０８ｂ（１１０ｂ）は、可動カバー部６４の回動軸を中心とする円周上に配置されている。第１被係合部は、第１位置に対応して配置されている。第２被係合部は、第２位置に対応して配置されている。
【００５７】
上記の構成によれば、可動カバー部６４を固定カバー部６２に対して、第１位置でも固定可能であり、第２位置でも固定可能である構造を、簡素な構成により実現することができる。
【００５８】
１つまたはそれ以上の実施形態において、可動カバー部６４は、固定カバー部６２に対して、ダイヤモンドカップ６が集塵カバー１０２から露出しない第３位置（可動カバー部６４を閉じた状態としたときの可動カバー部６４の固定カバー部６２に対する位置）まで移動可能である。
【００５９】
上記の構成によれば、ダイヤモンドカップ６を集塵カバー１０２から露出させない状態でも、作業を行うことができる。
【００６０】
なお、上記とは異なり、可動カバー部６４の回動軸は、スピンドル３２の回転軸と略直交する方向以外の方向に沿ったものであってもよい。また、上記とは異なり、固定カバー部６２が係合部を備えていてもよく、可動カバー部６４が被係合部を備えていてもよく、係合部が凹部であってもよく、被係合部が凸部であってもよい。
【００６１】
上記の各実施例では、電動工具がグラインダ４であり、先端工具がダイヤモンドカップ６であり、先端工具保持部がスピンドル３２である場合を例として説明したが、電動工具は他の種類の電動工具であってもよいし、先端工具は他の種類の先端工具であってもよいし、先端工具保持部は他の種類の先端工具保持部であってもよい。
【００６２】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００６３】
２        ：集塵カバー
４        ：グラインダ
６        ：ダイヤモンドカップ
８        ：本体ハウジング
１０      ：ギヤハウジング
１２      ：ベアリングボックス
１４      ：モータ
１６      ：出力軸
１８      ：ベアリング
２０      ：ベアリング
２２      ：電源回路
２４      ：電源コード
２６      ：スイッチ
２８      ：第１ベベルギヤ
３０      ：第２ベベルギヤ
３２      ：スピンドル
３４      ：ベベルギヤ
３６      ：ベアリング
３８      ：シャフトロック
４０      ：ベアリング
４２      ：ベアリング
４４      ：インナフランジ
４６      ：アウタフランジ
４８      ：ハウジング
５０      ：カバー取り付け部
５２      ：ベース
５４      ：カバー本体
５６      ：ノズル
５８      ：バンド
５８ａ    ：湾曲部
５８ｂ    ：平板部
５８ｃ    ：締結具
６０      ：ベースプレート
６０ａ    ：開口部
６０ｂ    ：平板部
６０ｃ    ：半円筒部
６２      ：固定カバー部
６４      ：可動カバー部
６４ａ    ：カム溝
６４ｂ    ：カム溝
６４ｃ    ：第１凹部
６４ｄ    ：第１凹部
６４ｅ    ：第２凹部
６４ｆ    ：第２凹部
６６      ：カバー開閉機構
６８      ：締結具
７０      ：集塵ブラシ
７２      ：支持部材
７４      ：回動シャフト
７６      ：ばね
７８      ：ガイド部材
７８ａ    ：支持部
７８ｂ    ：アーム部
７８ｃ    ：アーム部
７８ｄ    ：カム部
７８ｅ    ：カム部
８０      ：締結具
１０２    ：集塵カバー
１０４    ：カバー開閉機構
１０６    ：可動側開閉部材
１０６ａ  ：回動シャフト部
１０６ｂ  ：係合シャフト部
１０６ｃ  ：保持部
１０８    ：固定側開閉部材
１０８ａ  ：貫通孔
１０８ｂ  ：係合凹部
１１０    ：固定側開閉部材
１１０ａ  ：貫通孔
１１０ｂ  ：係合凹部
【図１】
2019171544.tif 000003
【図２】
2019171544.tif 000004
【図３】
2019171544.tif 000005
【図４】
2019171544.tif 000006
【図５】
2019171544.tif 000007
【図６】
2019171544.tif 000008
【図７】
2019171544.tif 000009
【図８】
2019171544.tif 000010
【図９】
2019171544.tif 000011
【図１０】
2019171544.tif 000012
【図１１】
2019171544.tif 000013
【図１２】
2019171544.tif 000014
【図１３】
2019171544.tif 000015
【図１４】
2019171544.tif 000016